(57)【要約】【課題】画像データを削除するためのコマンドボタン等の画像を表示させることなく、表示画面に対する直観的な操作を行うだけで画像データを容易に削除できるようにした画像表示装置を提供する。【解決手段】画像データを記憶する記憶部５と、画像データを表示する表示部３と、表示部の前方の空間領域を撮影する撮影部２と、撮影部が撮影した画像を解析し、ジェスチャを判定するための所定の判定対象の有無を判断する画像解析部１１と、画像解析部により判断された判定対象のジェスチャが所定のジェスチャに該当するか否かを判断するジェスチャ判断部１２と、ジェスチャ判断部による判断結果に従って、表示部に表示させた画像データを表示部および記憶部から削除する画像データ削除部１４ｂとを備える。【選択図】図１
2015118652.tif 000002
【特許請求の範囲】
【請求項１】
画像データを記憶する記憶部と、
前記画像データを表示する表示部と、
該表示部の前方の空間領域を撮影する撮影部と、
該撮影部が撮影した画像を解析し、ジェスチャを判定するための所定の判定対象の有無を判断する画像解析部と、
該画像解析部により判断された判定対象のジェスチャが所定のジェスチャに該当するか否かを判断するジェスチャ判断部と、
該ジェスチャ判断部による判断結果に従って、前記表示部に表示させた画像データを前記表示部および前記記憶部から削除する画像データ削除部と、を備えることを特徴とする画像表示装置。
【請求項２】
請求項１に記載の画像表示装置であって、
前記画像解析部で解析された判定対象が所定の第１のジェスチャから所定の第２のジェスチャをしたと判断された場合、前記画像データ削除部は、前記表示部に表示させた画像データを前記表示部および前記記憶部から削除することを特徴とする画像表示装置。
【請求項３】
請求項２に記載の画像表示装置であって、
前記所定の第１のジェスチャは、前記表示部の前方で２本の手を左右に揃えて並べたジェスチャであり、前記所定の第２のジェスチャは、前記表示部の前方で前記２本の手を前記表示部の上下方向に離間させたジェスチャ、前記表示部の前方で前記２本の手を前記表示部の左右方向に離間させたジェスチャ、前記表示部の前方で前記２本の手を前記表示部の前後方向に重ねたジェスチャのいずれか１つであることを特徴とする画像表示装置。
【請求項４】
請求項２又は３に記載の画像表示装置であって、
前記画像解析部で解析された判定対象が前記所定の第１のジェスチャから前記所定の第２のジェスチャをしたと判断された場合、前記画像データ削除部は、前記表示部および前記記憶部からの削除対象を前記表示部に表示させた画像データで確定するか否かのアイコンを前記表示部に表示させ、前記表示部に表示させた画像データで確定すると判断されたときに、該表示部に表示させた画像データを前記表示部および前記記憶部から削除することを特徴とする画像表示装置。
【請求項５】
請求項４に記載の画像表示装置であって、
前記アイコンを前記表示部に表示し、前記画像解析部で解析された判定対象が所定の第３のジェスチャをしたと判断された場合、前記画像データ削除部は、前記表示部に表示させた画像データを前記表示部および前記記憶部から削除することを特徴とする画像表示装置。
【請求項６】
請求項５に記載の画像表示装置であって、
前記所定の第３のジェスチャは、前記表示部の前方で１本の手を前記アイコンの中央位置から左方向に移動したジェスチャであることを特徴とする画像表示装置。
【発明の詳細な説明】
【技術分野】
【０００１】
本発明は画像表示装置に関し、より詳細には、プレビュー表示したドキュメントを削除する機能を備えた画像表示装置に関する。
【背景技術】
【０００２】
画像表示装置は例えば複合機などの画像形成装置を構成でき、受け付けたドキュメントを用紙に印刷する前に、印刷結果のイメージを表示（プレビュー表示ともいう）する機能を備えたものが普及している。プレビュー表示によってユーザが意図した印刷結果を得られるか否かを確認できれば、印刷のやり直しを防止できる。
ユーザの意図した印刷結果ではない場合、プレビュー表示中の画像データを削除するが、例えば、特許文献１には、画像データを削除するためのコマンドボタン等を表示画面に表示する技術が開示されている。
【０００３】
また、特許文献２には、カメラによりユーザの手のジェスチャを撮影し、ユーザのジェスチャが予め記憶されている所定のジェスチャに一致すると判断された場合、その所定のジェスチャに関連付けて記憶されている画像加工を実行する技術が開示されている。
【先行技術文献】
【特許文献】
【０００４】
【特許文献１】特開２００４−１５４７５号公報
【特許文献２】特開２００８−２５０８２３号公報
【発明の概要】
【発明が解決しようとする課題】
【０００５】
しかしながら、上記特許文献１のようにコマンドボタン等を表示する場合、表示領域が占有され、使い勝手を阻害する。このため、ユーザが画像データを見ながら直感的にジェスチャをして操作できれば有用であるが、従来このような技術は用いられていない。また、上記特許文献２には、ジェスチャにより画像加工を実行するものは開示されているが、ジェスチャにより直感的な動作を行うことで、画面表示を阻害することなく画像データを容易に削除するようにしたものは開示されていない。
【０００６】
本発明は、上述のような実情に鑑みてなされたもので、画像データを削除するためのコマンドボタン等の画像を表示させることなく、表示画面に対する直観的な操作を行うだけで画像データを容易に削除できるようにした画像表示装置を提供することを目的とする。
【課題を解決するための手段】
【０００７】
上記課題を解決するために、本発明の第１の技術手段は、画像データを記憶する記憶部と、前記画像データを表示する表示部と、該表示部の前方の空間領域を撮影する撮影部と、該撮影部が撮影した画像を解析し、ジェスチャを判定するための所定の判定対象の有無を判断する画像解析部と、該画像解析部により判断された判定対象のジェスチャが所定のジェスチャに該当するか否かを判断するジェスチャ判断部と、該ジェスチャ判断部による判断結果に従って、前記表示部に表示させた画像データを前記表示部および前記記憶部から削除する画像データ削除部と、を備えることを特徴としたものである。
【０００８】
第２の技術手段は、第１の技術手段において、前記画像解析部で解析された判定対象が所定の第１のジェスチャから所定の第２のジェスチャをしたと判断された場合、前記画像データ削除部は、前記表示部に表示させた画像データを前記表示部および前記記憶部から削除することを特徴としたものである。
【０００９】
第３の技術手段は、第２の技術手段において、前記所定の第１のジェスチャは、前記表示部の前方で２本の手を左右に揃えて並べたジェスチャであり、前記所定の第２のジェスチャは、前記表示部の前方で前記２本の手を前記表示部の上下方向に離間させたジェスチャ、前記表示部の前方で前記２本の手を前記表示部の左右方向に離間させたジェスチャ、前記表示部の前方で前記２本の手を前記表示部の前後方向に重ねたジェスチャのいずれか１つであることを特徴としたものである。
【００１０】
第４の技術手段は、第２または３の技術手段において、前記画像解析部で解析された判定対象が前記所定の第１のジェスチャから前記所定の第２のジェスチャをしたと判断された場合、前記画像データ削除部は、前記表示部および前記記憶部からの削除対象を前記表示部に表示させた画像データで確定するか否かのアイコンを前記表示部に表示させ、前記表示部に表示させた画像データで確定すると判断されたときに、該表示部に表示させた画像データを前記表示部および前記記憶部から削除することを特徴としたものである。
【００１１】
第５の技術手段は、第４の技術手段において、前記アイコンを前記表示部に表示し、前記画像解析部で解析された判定対象が所定の第３のジェスチャをしたと判断された場合、前記画像データ削除部は、前記表示部に表示させた画像データを前記表示部および前記記憶部から削除することを特徴としたものである。
【００１２】
第６の技術手段は、第５の技術手段において、前記所定の第３のジェスチャは、前記表示部の前方で１本の手を前記アイコンの中央位置から左方向に移動したジェスチャであることを特徴としたものである。
【発明の効果】
【００１３】
本発明によれば、画像データを削除するためのコマンドボタン等の画像を表示させることなく、表示画面に対する直感的な操作を行うだけで画像データを容易に削除できるようにした画像表示装置を提供することができる。
【図面の簡単な説明】
【００１４】
【図１】本発明による画像表示装置の機能構成例を示すブロック図である。
【図２】本発明による画像表示装置の外観を概略的に示す図である。
【図３】本発明による画像表示装置における画像データの削除処理に係る第１の実施形態を説明する図である。
【図４】第１の実施形態の処理の流れを説明するためのフローチャートである。
【図５】第１の実施形態の処理の流れを説明するためのフローチャートで、図４に続く図である。
【図６】本発明による画像表示装置における画像データの削除処理に係る第２の実施形態を説明する図である。
【図７】第２の実施形態の処理の流れを説明するためのフローチャートである。
【図８】本発明による画像表示装置における画像データの削除処理に係る第３の実施形態を説明する図である。
【図９】第３の実施形態の処理の流れを説明するためのフローチャートである。
【発明を実施するための形態】
【００１５】
図１は、本発明による画像表示装置の機能構成例を示すブロック図である。図２は、本発明による画像表示装置の外観を概略的に示す図であり、図２（Ａ）は画像表示装置の斜視概略図、図２（Ｂ）は図２（Ａ）の画像表示装置の上面概略構成図である。
画像表示装置１０は、制御部１、撮影部２、表示部３、操作部４、記憶部５を備える。制御部１は、ＣＰＵ（Central Processing Unit）などの制御プロセッサにより構成され、画像表示装置１０の各部を統括して制御する。制御部１は、記憶部５に記憶されたプログラムおよびデータを読み出して実行することで、画像表示装置１０の各種機能を実現する。記憶部５は、ＲＡＭ（Random Access Memory）、ＲＯＭ（Read Only Memory）、ＨＤＤ（Hard Disk Drive）などの各種の記憶手段である。
【００１６】
表示部３は、液晶パネルなどによるディスプレイであり、画像表示装置１０の操作メニュー画面や、画像表示装置１０で受け付けたドキュメントの画像データを表示させる。表示部３の近傍には、表示部３の前方におけるユーザの操作を撮影するための撮影部２が設けられている。撮影部２は、表示部３の前方の空間領域を撮像するＣＣＤ等のカメラであり、撮影画像は、ユーザの手や指先によるジェスチャ動作を判別するための解析に使用される。なお、表示部３の前方の空間領域とは、表示部３の表示画面を上方に向けて水平に置いたときには、表示部３の上方空間となる。
【００１７】
操作部４は、ユーザによる操作入力を受け付けることができ、ハードキーやボタンなどの他、表示部３の表示画面に上に設けたタッチパネルとして構成されている。
制御部１は、その機能として画像解析部１１、ジェスチャ判断部１２、領域判定部１３、および画像表示制御部１４を有している。
画像表示制御部１４は、表示部３に対する表示制御を行うもので、ドキュメントを記憶部５の画像記憶エリア５１から読み出して表示部３に表示させる。また、画像表示制御部１４は、表示部３に表示されたドキュメントに対してユーザによる所定のジェスチャに応じた表示制御を行う。
【００１８】
また、画像表示装置１０は、画像形成部や印刷部を付与することで、ドキュメントを用紙に印刷する画像形成装置を構成できる。この場合、画像表示制御部１４のプレビュー表示部１４ａは、印刷結果のイメージを表示部３に表示（プレビュー表示ともいう）させる制御を行うことができる。
ユーザは、ドキュメントが表示部３に表示された状態において、表示部３の前方の空間領域で所定のジェスチャをするだけで、プレビュー表示中のドキュメントに対する削除処理が実行可能になる。
【００１９】
画像解析部１１は、撮影部２が撮影した画像を解析し、表示部３の前方の３次元空間領域からユーザの手や指先を検出する。ユーザの手や指先は、ジェスチャを判定するための所定の判定対象として定められたものである。
画像解析部１１がユーザの手を検出する手法としては、解析対象となる３次元空間を撮影するために、例えば赤外線ＬＥＤ光源の反射光を検出するイメージセンサを備えた撮影部２を用い、人の手と判断できる画像の存在を検知する。人の手と判断できる画像の存在は、例えば撮影画像の輝度値を解析して、所定の輝度レベルを持つ領域が手と判断できる形状となっているかを判断する。例えば対象領域外から延びる腕のような形状と、その先端の手や指の形状とを所定のアルゴリズムで判断し、手とみなされる部分を手として検出し、その先端部分を指先として検出する。
【００２０】
そして、画像解析部１１は、検出した手の３次元空間内の座標情報を取得し、記憶部５に記憶させる。座標情報は、３次元空間の位置を規定する情報であり、例えば表示部３の前方の直方体空間の一つの頂点を原点として、互いに直交するＸＹＺ軸上に設定した座標の位置を示すものとする。画像解析部１１は、手が検出された後、その手が動いた場合にも手の３次元空間上の座標位置の検出を継続して実行する。
【００２１】
なお、画像解析部１１が指先の位置までを検出する手法としては、例えば２台の撮影装置で異なる位置から撮影できる撮影部を用いてもよい。この場合、画像解析部１１は、２台の撮影装置からの撮像画像を解析して、指先の３次元空間上の位置を検出する。ここでは、例えば一方の撮影画像中の手の指先と判断された画像が、他方の撮影画像のどの位置にあるかを検出する。この場合、一方の撮影画像をブロックに分割し、他方の撮影画像の画素値との差分をとって差分の総和や最小二乗和を演算し、一方のブロックに最も似ている他方の撮影画像の位置を判断する。これにより、一方の撮影画像中の手の位置と他方の撮影画像中の同じ手の位置とを検出できる。そして、２台の撮影装置の距離と２つの撮影画像中の手の位置のずれ量とから、撮影装置から指先までの３次元空間内での距離を求め、３次元空間内の手の指先の位置を特定することができる。
【００２２】
ジェスチャ判断部１２は、画像解析部１１による解析結果に従って、ユーザの手や指先の動きを認識し、その手や指先の動きが予め定めた所定のジェスチャの動作に該当するか否か判断する。判断すべきジェスチャとしては、例えば、１本または複数本の手を３次元空間内で移動させるジェスチャ、１本または複数本の指を３次元空間内で移動させるジェスチャ、などがあり、各ジェスチャに応じて制御動作が予め設定される。
【００２３】
領域判定部１３は、ユーザの手や指先が表示部３に表示されたドキュメントの所定領域にあるか否かを判定する。例えば、複数のドキュメントがプレビュー表示されている場合、ユーザの手をかざしたドキュメントや、指先で指し示したドキュメントを判定できる。
画像表示制御部１４は表示ページ削除部１４ｂを有し、ジェスチャ判断部１２による判断結果に従って、表示部３に表示させたドキュメントを表示部３から削除すると共に、記憶部５からも削除する。これにより、ユーザは、ドキュメントを破るような直感的な動作によって、プレビュー表示されたドキュメントを表示部３の表示画面や記憶部５の画像記憶エリア５１から消去することができる。なお、表示ページ削除部１４ｂが本発明の画像データ削除部に相当する。
【００２４】
記憶部５の画像記憶エリア５１には、表示部３に表示される画像データが記憶される。この画像データとしては、例えば画像形成装置が備える原稿読取部（図示省略）で光学的に読み取ったり、画像形成装置が備える通信部（図示省略）を介してネットワークから取得したり、あるいは他の情報端末から無線または有線により、若しくは可搬型のメモリから読み出して取得したものである。
【００２５】
記憶部５のポイント数記憶エリア５２には、画像解析部１１により解析されたユーザの手の数や指先の数をポイント数として記憶できる。記憶されているポイント数の情報は、画像データの削除の他、他の設定のためのジェスチャの判断などに使用できる。
以下に、画像表示装置が判定するジェスチャと画像データ削除処理に係る実施形態を具体的に説明する。
【００２６】
（第１の実施形態）
図３は、本発明による画像表示装置における画像データの削除処理に係る第１の実施形態を説明する図である。
図３（Ａ）では、表示部３にドキュメント２０を表示させた状態を示している。ここではユーザは、例えば、片手を表示部３の中央位置から左方向に払うジェスチャで次ページのドキュメントを表示させ、片手を右方向に払うジェスチャで前ページのドキュメントを表示させることができる。なお、表示部３へのタッチ操作によるページ送り／ページ戻りも可能である。
【００２７】
ユーザが表示中のドキュメント２０を削除したい場合、図３（Ｂ）に示すように、まず、表示部３の前方で２本の手、例えば右手４１および左手４２を表示部３の左右に揃えて並べたジェスチャをする。
画像解析部１１が画像解析して横に並んだ手を検出した場合、ジェスチャ判断部１２は所定の第１のジェスチャをしたと判断する。続いて、図３（Ｃ）に示すように、ユーザが表示部３の前方で例えば右手４１を上に、左手４２を下に移動させ、２本の手を縦方向に離すジェスチャをした場合、ジェスチャ判断部１２は、所定の第１のジェスチャから所定の第２のジェスチャをしたと判断する。なお、この縦方向が本発明の表示部の上下方向に相当するが、右手４１を下に、左手４２を上に移動させてもよい。
【００２８】
表示ページ削除部１４ｂは、ジェスチャ判断部１２の判断結果を受け取り、図３（Ｄ）に示すように、表示中のドキュメント２０の上に例えばダイアログボックス３０を表示する。このダイアログボックス３０は、表示部３および記憶部５からの削除対象を表示中のドキュメント２０で確定してよいか否かをユーザに判断させるものであり、本発明のアイコンに相当する。
【００２９】
ダイアログボックス３０へのタッチ操作による削除確定も可能であるが、このダイアログボックス３０の例えば中央位置には手のマークが付され、この手のマークの左側には確定ＯＫの操作ボタンが、手のマークの右側には確定ＮＧの操作ボタンがそれぞれ設けられている。
ユーザが表示部３の前方で１本の手、例えば右手をダイアログボックス３０の中央位置から左方向に移動した場合、ジェスチャ判断部１２は、所定の第３のジェスチャをしたと判断する。これにより、表示ページ削除部１４ｂは、表示中のドキュメント２０を表示部３および記憶部５から削除し、その結果を図３（Ｅ）に示すようにユーザに通知する。
【００３０】
このように、第２のジェスチャは、手を縦方向に移動させて用紙を縦方向に破るイメージを与えるので、表示画面に対する直感的な操作を行うだけで画像データを容易に削除できる。また、ダイアログボックス３０を表示すれば、表示部３および記憶部５から削除する前に削除対象を確認でき、誤操作を防止できる。さらに、中央位置を左方に払う第３のジェスチャは、ダイアログボックス３０のＯＫボタンを選ぶイメージを与えるので、この点も直感的な操作に寄与する。
【００３１】
図４，５は、第１の実施形態の処理の流れを説明するためのフローチャートである。以下、図１の構成を参照しながら説明する。
まず、画像表示制御部１４は、画像記憶エリア５１からドキュメントのファイルを読み取り（図４のステップＳ１）、ファイルの内容を表示部３に表示する（ステップＳ２）。そして、撮影部２による撮影を開始し（ステップＳ３）、制御部１が撮影画像を取得し（ステップＳ４）、画像解析部１１が撮影画像を解析する（ステップＳ５）。
【００３２】
撮影画像からユーザの手が検出されたか否かを判断する（ステップＳ６）。ここで手が検出されなければ（ステップＳ６のＮＯ）、第１のジェスチャの未確定状態を保存するために、フラグを０に設定する（図５のステップＳ１９）。このとき、画像表示制御部１４は、表示部３へのタッチ操作によるページ送り／ページ戻りを行うかを判断する。詳しくは、ページ送りである場合（ステップＳ２０のＹＥＳ）、最終のページではない限りページ送りを行い（ステップＳ２１のＮＯ、Ｓ２２）、その後、図４のステップＳ４に戻って撮影画像を取得する。一方、ページ戻りである場合（図５のステップＳ２０のＮＯ、Ｓ２３のＹＥＳ）、最初のページではない限りページ戻りを行い（ステップＳ２４のＮＯ、Ｓ２５）、その後、図４のステップＳ４に戻って撮影画像を取得する。
【００３３】
ここで、画像解析部１１は、撮影画像からユーザの手が検出されたが（ステップＳ６のＹＥＳ）、２本の手が検出されなければ（ステップＳ７のＮＯ）、上記と同様に第１のジェスチャの未確定状態を保存するために、フラグを０に設定し（ステップＳ１３）、ステップＳ４に戻って撮影画像を取得する。
これに対し、２本の手が検出され（ステップＳ７のＹＥＳ）、これらが例えば接近して横に並んでいた場合（ステップＳ８のＹＥＳ）、第１のジェスチャの確定状態を保存するために、フラグを１に設定し（ステップＳ１４）、ステップＳ４に戻って撮影画像を取得する。
【００３４】
その後、画像解析部１１が、横に並んでいない２本の手を検出した場合（ステップＳ８のＮＯ）、ジェスチャ判断部１２は、現在のフラグが１であるか否かを判断する（ステップＳ９）。そして、現在のフラグが１であり（ステップＳ９のＹＥＳ）、かつ、図３（Ｃ）に示したように、縦方向に離れた２本の手が検出された場合（ステップＳ１０のＹＥＳ）、ジェスチャ判断部１２は第１のジェスチャから第２のジェスチャをしたと判断する。
【００３５】
これにより、表示ページ削除部１４ｂは、表示中のドキュメントの上にダイアログボックスを表示し（ステップＳ１１）、削除対象の確認後に該当するドキュメントの表示ページを削除する（ステップＳ１２）。なお、第１のジェスチャから第２のジェスチャをしたと判断された場合、該当するドキュメントの色を反転させる、あるいは、該当するドキュメントを縦方向に裂ける画像で表示してもよい。
【００３６】
このように、ジェスチャ判断部１２による判断結果に従って、表示部３に表示させたドキュメントを表示部３および記憶部５から削除するので、ドキュメントを削除するためのコマンドボタン等の画像を表示させることなく、表示画面に対する直感的な操作を行うだけでドキュメントを容易に削除できるようにした画像表示装置を提供することができる。この結果、ユーザの利便性向上を図れると共に、表示画面のページレイアウトが煩雑にならない。
【００３７】
しかも、ドキュメントの削除は第１，２による２つのジェスチャだけ可能であり、さらに、削除対象の確認までを含めても第１〜３のジェスチャのみで済む。
なお、該当するドキュメントの表示ページを削除した後（ステップＳ１２）、画像表示制御部１４は、次ページ／前ページがあるか否かを判断する。そして、次ページがあった場合には次ページを表示し（図５のステップＳ１５のＹＥＳ、Ｓ１８）、その後、図４のステップＳ４に戻って撮影画像を取得する。また、例えば最終のページを削除した場合のように次ページはないが、前ページがある場合には前ページを表示し（図５のステップＳ１５のＮＯ、Ｓ１６のＹＥＳ、Ｓ１７）、その後、図４のステップＳ４に戻って撮影画像を取得する。次ページも前ページもない場合（図５のステップＳ１５のＮＯ、Ｓ１６のＮＯ）、何も表示することなく図４のステップＳ４に戻る。
【００３８】
（第２の実施形態）
図６は、本発明による画像表示装置における画像データの削除処理に係る第２の実施形態を説明する図である。図６（Ｃ）を除き、図３と同じであるので詳細な説明を省略する。
図６（Ｃ）に示すように、ユーザが表示部３の前方で例えば右手４１を右に、左手４２を左に移動させ、２本の手を横方向に離すジェスチャをした場合、ジェスチャ判断部１２は、所定の第１のジェスチャから所定の第２のジェスチャをしたと判断する。なお、この横方向が本発明の表示部の左右方向に相当するが、右手４１をその手首を中心にして指先を右方向に、左手４２をその手首を中心にして指先を左方向に移動させてもよい。このように、第２のジェスチャは、手を横方向に移動させて用紙を縦方向に裂くイメージを与えるので、表示画面に対する直感的な操作を行うだけで画像データを容易に削除できる。
【００３９】
図７は、第２の実施形態の処理の流れを説明するためのフローチャートである。
そして、図７のステップＳ３１からＳ３７までは図４のステップＳ１からＳ７までと同じであり、また、図７のステップＳ４１からＳ４４までは図４のステップＳ１１からＳ１４までと同じであるので詳細な説明を省略する。また、図７のステップＳ４２以降やＳ３６でＮＯの場合は図５と同じであるので詳細な説明を省略する。
【００４０】
画像解析部１１にて２本の手が検出され（ステップＳ３７のＹＥＳ）、これらが例えば接近して横に並んでいた場合（ステップＳ３８のＹＥＳ）、フラグを１に設定する（ステップＳ４４）。
その後、画像解析部１１が、横に並んでいない２本の手を検出した場合（ステップＳ３８のＮＯ）、ジェスチャ判断部１２は、現在のフラグが１であるか否かを判断し（ステップＳ３９）、現在のフラグが１であり（ステップＳ３９のＹＥＳ）、かつ、図６（Ｃ）に示したように、横方向に離れた２本の手が検出された場合（ステップＳ４０のＹＥＳ）、ジェスチャ判断部１２は第１のジェスチャから第２のジェスチャをしたと判断している。
【００４１】
（第３の実施形態）
図８は、本発明による画像表示装置における画像データの削除処理に係る第３の実施形態を説明する図である。図８（Ｂ）、（Ｃ）を除き、図３や図６と同じであるので詳細な説明を省略する。
ユーザが表示中のドキュメント２０を削除したい場合、図８（Ｂ）に示すように、まず、表示部３の前方で２本の手、例えば右手４１および左手４２を左右に揃えて並べる。なお、本例では離して横に並べた状態を例に挙げて説明するが、接近して横に並べてもよい。また、本例では両手の掌を表示部３に向けた例で説明するが、例えば左手４２の甲だけが表示部３に向くように裏返すか、あるいは右手４１の甲だけが表示部３に向くように裏返してもよい。
【００４２】
画像解析部１１が画像解析して横に並んだ手を検出した場合、ジェスチャ判断部１２は所定の第１のジェスチャをしたと判断する。続いて、図８（Ｃ）に示すように、ユーザが表示部３の前方で例えば右手４１を左に、左手４２を右に移動させ、２本の手を表示部３の前方で前後方向に重ねた場合、ジェスチャ判断部１２は、所定の第１のジェスチャから所定の第２のジェスチャをしたと判断する。このように、第２のジェスチャは、手を集めて用紙を丸めるイメージを与えるので、表示画面に対する直感的な操作を行うだけで画像データを容易に削除できる。
【００４３】
図９は、第３の実施形態の処理の流れを説明するためのフローチャートである。
そして、図９のステップＳ５１からＳ５７までは、図４のステップＳ１からＳ７までや図７のステップＳ３１からＳ３７までと同じであり、また、図９のステップＳ６１からＳ６４までは、図４のステップＳ１１からＳ１４までや図７のステップＳ４１からＳ４４までと同じであるので詳細な説明を省略する。また、図９のステップＳ６２以降やＳ５６でＮＯの場合は図５と同じであるので詳細な説明を省略する。
【００４４】
画像解析部１１にて２本の手が検出され（ステップＳ５７のＹＥＳ）、これらが例えば離れて横に並んでいた場合（ステップＳ５８のＹＥＳ）、フラグを１に設定する（ステップＳ６４）。
その後、画像解析部１１が、横に並んでいない２本の手を検出した場合（ステップＳ５８のＮＯ）、ジェスチャ判断部１２は、現在のフラグが１であるか否かを判断し（ステップＳ５９）、現在のフラグが１であり（ステップＳ５９のＹＥＳ）、かつ、図８（Ｃ）に示したように、前後方向に重なった２本の手が検出された場合（ステップＳ６０のＹＥＳ）、ジェスチャ判断部１２は第１のジェスチャから第２のジェスチャをしたと判断している。
【００４５】
なお上記の各実施形態で記載されている技術的特徴（構成要件）は、お互いに組み合わせ可能であり、組み合わせることにより、新しい技術的特徴を形成することができる。
【符号の説明】
【００４６】
１…制御部、２…撮影部、３…表示部、４…操作部、５…記憶部、１０…画像表示装置、１１…画像解析部、１２…ジェスチャ判断部、１３…領域判定部、１４…画像表示制御部、１４ａ…プレビュー表示部、１４ｂ…表示ページ削除部、２０…ドキュメント、３０…ダイアログボックス、４１…右手、４２…左手、５１…画像記憶エリア、５２…ポイント数記憶エリア。
【図１】
2015118652.tif 000003
【図２】
2015118652.tif 000004
【図３】
2015118652.tif 000005
【図４】
2015118652.tif 000006
【図５】
2015118652.tif 000007
【図６】
2015118652.tif 000008
【図７】
2015118652.tif 000009
【図８】
2015118652.tif 000010
【図９】
2015118652.tif 000011